(57)【要約】【課題】ネットワークの接続設定の作業を簡便かつ効率よく行うことができるネットワーク接続設定システム、ネットワーク接続設定方法、ネットワーク接続装置及び記憶媒体を提供することを目的とする。【解決手段】  ネット接続設定システム１では、ネットワーク接続装置４の記憶媒体用ポート４ｂに記憶媒体５を接続し、ネットワーク接続装置４の電源４ａを入れると、ネットワーク設定部４ｅは、記憶媒体５に記憶されたネットワーク設定情報を読み取り、ネットワークの接続設定を自動的に実行する。【選択図】  図１
2010191550.tif 000002
【特許請求の範囲】
【請求項１】
ネットワークと接続されるネットワーク接続装置と、前記ネットワークに接続するためのネットワーク設定情報を記憶した記憶媒体とを有するネットワーク接続設定システムであって、
前記ネットワーク接続装置は、電源と、前記記憶媒体用のポートと、前記電源が入り、かつ前記ポートに前記記憶媒体が接続された場合、前記記憶媒体に記憶されたネットワーク設定情報を読み取り、ネットワークの設定を自動的に実行するネットワーク設定手段とを有する、
ことを特徴とするネットワーク接続設定システム、
【請求項２】
前記記憶媒体に記憶されたネットワーク設定情報は、ＷＡＮ及び又はＬＡＮに接続するための設定情報であることを特徴とする請求項１に記載のネットワーク接続設定システム、
【請求項３】
ネットワークと接続されるネットワーク接続装置と、前記ネットワークに接続するためのネットワーク設定情報を記憶した記憶媒体とを用いたネットワーク接続設定方法であって、
前記ネットワーク接続装置のポートに前記記憶媒体を接続するステップと、
前記ネットワーク接続装置の電源を入れるステップと、
前記電源を入れることにより、前記記憶媒体に記憶されたネットワーク設定情報を読み取り、ネットワークの設定を自動的に実行するステップと、
を有することを特徴とするネットワーク接続設定方法。
【請求項４】
前記請求項１又は２に記載のネットワーク接続設定システムに用いられるネットワーク接続装置。
【請求項５】
前記請求項１又は２に記載のネットワーク接続設定システムに用いられる記憶媒体。
【発明の詳細な説明】
【技術分野】
【０００１】
本発明は、ＷＡＮ（Wide Area Network)やＬＡＮ（Local Area Network)のネットワークに接続する設定を自動的に行うためのネットワーク接続設定システム、ネットワーク接続設定方法、ネットワーク接続装置及び記憶媒体に関する。
【背景技術】
【０００２】
近年、パーソナルコンピュータ（パソコン）だけでなく、ゲーム機、テレビ、ＤＶＤ（デジタルビデオディスク）プレイヤ等の各種機器がインターネット等のネットワークへの接続機能を備えるようになり、これらの機器を利用して、画像、動画、音声、文字等の情報をネットワークを介して送受信することが急速に普及してきている。
【０００３】
しかし、ネットワークの接続設定は、パソコン及び通信のためのソフトウェア（通信ソフト）を用いて、多くの難解な項目を手動で入力しなければならないため、特に、パソコンや通信ソフトについて詳しい知識を持たない者にとっては非常に困難な作業であった。
【０００４】
そこで、簡便にネットワークの接続設定を行うための技術が従来から提案されている。
【０００５】
例えば、特許文献１には、着脱自在に装着されたＵＳＢメモリ等の記憶媒体に記憶された情報を読み取り、ネットワークの接続設定を実行するネットワーク対応型情報処理装置が提案されている（以下、この技術を従来例１という）。
【０００６】
また、非特許文献１には、ＵＳＢメモリを用いて、無線ルータに対して無線ＬＡＮの接続設定を行う方法が開示されている（以下、この技術を従来例２という）。
【０００７】
さらに、非特許文献２には、ＵＳＢメモリを用いて、ルータやプリンタに対して無線ＬＡＮの接続設定を行う方法が開示されている（以下、この技術を従来例３という）。
【特許文献１】特開２００７−２１９９０９号公報
【非特許文献１】「ＵＳＢメモリで無線ＬＡＮがカンタン設定できる！  Windows（登録商標） Connect Now」対応無線ルーターを使ってみました」（I-O DATA BROAD BAND SITE)<http://www.iodata.jp/promo//bb/products/review/wn-apgr/page2.htm>
【非特許文献２】「ＵＳＢフラッシュ ドライブを使ってルータやプリンタを一発設定」<http://www.microsoft.com/japan/athome/magazine/ucontents/users/winxp/0508/02.mspx>
【発明の概要】
【発明が解決しようとする課題】
【０００８】
従来例１〜３の技術は、いずれもパソコンとの間のＬＡＮに接続するためのものであり、インターネット等のＷＡＮが未設定の場合には、パソコンやルータ等を使って設定画面を見ながら設定を行う必要があるため、作業が面倒であった。
【０００９】
また、機器の電源を入れ、その機器にＵＳＢメモリを差し込んだ後、その機器に設けられた「ＵＳＢボタン」を所定時間押す等の作業によって、ＵＳＢメモリ内のネットワーク設定情報を機器に転送していたので、作業の効率が悪かった。
【００１０】
本発明は、上記課題を解決するためになされたものであり、ネットワークの接続設定の作業を簡便かつ効率よく行うことができるネットワーク接続設定システム、ネットワーク接続設定方法、ネットワーク接続装置及び記憶媒体を提供することを目的とする。
【課題を解決するための手段】
【００１１】
本発明のネットワーク接続設定システムは、ネットワークと接続されるネットワーク接続装置と、前記ネットワークに接続するためのネットワーク設定情報を記憶した記憶媒体とを有するネットワーク接続設定システムであって、
前記ネットワーク接続装置は、電源と、前記記憶媒体用のポートと、前記電源が入り、かつ前記ポートに前記記憶媒体が接続された場合、前記記憶媒体に記憶されたネットワーク設定情報を読み取り、ネットワークの設定を自動的に実行するネットワーク設定手段とを有する、
ことを特徴とするものである。
【００１２】
前記記憶媒体に記憶されたネットワーク設定情報は、ＷＡＮ及び又はＬＡＮに接続するための設定情報であってもよい。
【００１３】
本発明のネットワーク接続設定方法は、ネットワークと接続されるネットワーク接続装置と、前記ネットワークに接続するためのネットワーク設定情報を記憶した記憶媒体とを用いたネットワーク接続設定方法であって、
前記ネットワーク接続装置のポートに前記記憶媒体を接続するステップと、
前記ネットワーク接続装置の電源を入れるステップと、
前記電源を入れることにより、前記記憶媒体に記憶されたネットワーク設定情報を読み取り、ネットワークの設定を自動的に実行するステップと、
を有することを特徴とするものである。
【００１４】
本発明のネットワーク接続装置は、上記ネットワーク接続設定システムに用いられるものである。
【００１５】
本発明の記憶媒体は、上記ネットワーク接続設定システムに用いられるものである。
【発明の効果】
【００１６】
本発明によれば、次のような優れた効果を奏する。
【００１７】
（１）ネットワーク接続装置の記憶媒体用ポートに記憶媒体を接続し、電源を入れるだけで、ネットワークの接続設定を自動的に行うことができるので、作業効率が著しく向上する。
【００１８】
（２）ネットワーク接続装置においてインターネット等のＷＡＮが未設定の場合であっても、パソコンやルータ等を使って設定画面を見ながら設定を行う面倒な作業が不要となる。その結果、ゲーム機、テレビ、ＤＶＤプレイヤ等のパソコン以外の各種機器とインターネット等のＷＡＮとを接続することが簡便になり、パソコンや通信ソフトについて詳しい知識を持たない者であっても、簡便に接続設定を行うことができる。
【００１９】
（３）操作間違い等の不具合でネットワーク接続装置の設定情報が消去した場合であっても、ネットワーク接続装置の記憶媒体用ポートに記憶媒体を接続し、電源を再投入すればよいので、ネットワークの再設定を容易に行うことができる。
【図面の簡単な説明】
【００２０】
【図１】本発明の実施形態例に係るネットワーク接続設定システムを示すブロック図である。
【図２】ネットワーク設定情報の一例を示す説明図である。
【図３】本発明の他の実施形態例を示す説明図である。
【発明を実施するための最良の形態】
【００２１】
以下、本発明の実施の形態について図面を参照して説明する。図１は、本発明の実施形態例に係るネットワーク接続設定システムを示すブロック図である。
【００２２】
図１に示すように、本発明の実施形態例に係るネットワーク接続設定システム１は、ＷＡＮ２とＬＡＮ３とに接続されるネットワーク接続装置４と、ＷＡＮ２とＬＡＮ３に接続するためのネットワーク設定情報を記憶した記憶媒体５とを有する。
【００２３】
ＷＡＮ２は例えばインターネット（ＴＣＰ／ＩＰ（Transmission Control Protocol/Internet Protocol）によるデータ転送網）である。
【００２４】
ＬＡＮ３にはパソコン６、サーバ７、ハブ８（ＨＵＢ）等が接続されている。
【００２５】
ネットワーク接続装置４は、モデムやルータあるいはそれらの機能を有する通信機器であり、電源４ａと、記憶媒体５に接続される記憶媒体用ポート４ｂと、ＷＡＮ２側回線に接続され、データの送受信を行うＷＡＮ用ポート４ｃと、ＬＡＮ３側回線に接続され、データの送受信を行うＬＡＮ用ポート４ｄと、電源４ａが入り、かつ記憶媒体用ポート４ｂに記憶媒体５が接続された場合、記憶媒体５に記憶されたネットワーク設定情報を読み取り、ネットワークの設定を自動的に実行するネットワーク設定部４ｅとを有する、
記憶媒体５は、ＵＳＢメモリ、ＩＣカード、磁気カード等の携帯性を備えた媒体であり、ＷＡＮ２に接続するための通信プロトコル手順であるＰＰＰｏＥ（Point to Point Protocol over Ethernet（登録商標））の設定情報及びＬＡＮ３に接続するための通信プロトコル手順であるＤＨＣＰ（Dynamic
Host Configuration Protocol）の設定情報が記憶されている。
【００２６】
図２は、ネットワーク設定情報の一例を示す説明図である。図２に示すように、ネットワーク設定情報には、例えばキャリア情報、プロバイダ情報、インターネットアカウント情報、Ｅメール情報等が含まれている。
【００２７】
これらのネットワーク設定情報の記憶媒体５への書き込みは、ユーザが通信キャリアやプロバイダ等と契約するときに行われる。
【００２８】
次に、本発明の実施形態例に係るネットワークの接続設定方法について説明する。
【００２９】
まず、ネットワーク接続装置４のＷＡＮ用ポート４ｃにＷＡＮ２側回線を接続し、ＬＡＮ用ポート４ｄにＬＡＮ３側回線を接続する。
【００３０】
次いで、ネットワーク接続装置４の記憶媒体用ポート４ｂに記憶媒体５を接続する。
【００３１】
次いで、ネットワーク接続装置４の電源４ａを入れる。これによって、ネットワーク設定部４ｅは、記憶媒体５に記憶されたネットワーク設定情報を読み取り、ネットワークの接続設定を自動的に実行する。
【００３２】
その後、操作間違い等の不具合でネットワーク接続装置４の設定情報が消去した場合には、ネットワーク接続装置４の記憶媒体用ポート４ｂに記憶媒体５を接続し、電源４ａを再投入すれば、ネットワークの再設定を自動的に行うことができる。
【００３３】
本発明の実施形態例によれば、ネットワーク接続装置４の記憶媒体用ポート４ｂに記憶媒体５を接続し、電源４ａを入れるだけで、ネットワークの接続設定を自動的に行うことができるので、作業効率が著しく向上する。
【００３４】
また、ネットワーク接続装置４においてインターネット等のＷＡＮ２が未設定の場合であっても、パソコンやルータ等を使って設定画面を見ながら設定を行う面倒な作業が不要となる。その結果、ゲーム機、テレビ、ＤＶＤプレイヤ等のパソコン以外の各種機器とインターネット等のＷＡＮ２とを接続することが簡便になり、パソコンや通信ソフトについて詳しい知識を持たない者であっても、簡便に接続設定を行うことができる。
【００３５】
さらに、操作間違い等の不具合でネットワーク接続装置４の設定情報が消去した場合であっても、ネットワーク接続装置４の記憶媒体用ポート４ｂに記憶媒体５を接続し、電源４ａを再投入すればよいので、ネットワークの再設定を容易に行うことができる。
【００３６】
なお、本発明では、携帯電話の契約と同様に、顧客のメールアドレスも契約時に設定が可能である。
【００３７】
また、本発明を利用したサービスは、通信キャリア、プロバイダいずれでも実施可能である。
【００３８】
図３は、本発明の他の実施形態例を示す説明図である。
【００３９】
本発明では、モデム９、ルータ１０、パソコン１１の内部ソフトウェアを用いて、パソコン１１と接続されたモデム９（例えばＡＤＳＬ/ＦＴＴＨモデム）に記憶媒体５を接続して、ネットワークの接続設定を自動的に行ったり（図３（Ａ）参照）、モデム９ールータ１０ーパソコン１１の順に接続されたルータ１０に記憶媒体５を接続して、ネットワークの接続設定を自動的に行ったり（図３（Ｂ）参照）、モデム９ールータ１０ーパソコン１１の順に接続されたパソコン１１に記憶媒体５を接続して、ネットワークの接続設定を自動的に行ってもよい（図３（Ｃ）参照）。
【００４０】
本発明は、上記実施の形態に限定されることはなく、特許請求の範囲に記載された技術的事項の範囲内において、種々の変更が可能である。  
【産業上の利用可能性】
【００４１】
本発明は、ＷＡＮやＬＡＮのネットワークに接続する設定を自動的に行うために用いられる。
【符号の説明】
【００４２】
１：ネットワーク接続設定システム
２：ＷＡＮ
３：ＬＡＮ
４：ネットワーク接続装置
４ａ：電源
４ｂ：記憶媒体用ポート
４ｃ：ＷＡＮ用ポート
４ｄ：ＬＡＮ用ポート
４ｅ：ネットワーク設定部
５：記憶媒体
６：パソコン
７：サーバ
８：ハブ
９：モデム
１０：ルータ
１１：パソコン
【図１】
2010191550.tif 000003
【図２】
2010191550.tif 000004
【図３】
2010191550.tif 000005